(57)【特許請求の範囲】
【請求項１】
ロールペーパーの上部を覆う部材であり、開口を有し、回動可能に構成され、先端部下面が前記ロールペーパー面に当接するように構成される、カバープレートと、
前記カバープレートの上面に配置される支軸に後端部が取り付けられて前記カバープレートに対して回動可能に前記カバープレートに支持される支持部材と、
前記支持部材の前端部に配置される支軸に取り付けられて前記支持部材に回動可能に支持され、前記カバープレートの開口に一部が挿入された状態でロールペーパーに当接し、前記カバープレートの上方に一部が突出した状態で配置されるローラーと、
を有する、ロールペーパー取り出し機構。
【請求項２】
前記カバープレートの先端部下面に、前記ロールペーパーの表層面に接触して前記ロールペーパーに摩擦抵抗を与えて前記ロールペーパーの先端部を剥離させて浮かせる摩擦部材が取り付けられる、請求項１に記載のロールペーパー取り出し機構。
【請求項３】
前記カバープレートの摩擦部材は、前記ロールペーパーに向かって突出するとともに前記ロールペーパーの回転方向に沿って段付き形状となる複数の突起で構成される、請求項２に記載のロールペーパー取り出し機構。
【発明の詳細な説明】
【技術分野】
【０００１】
本発明は、トイレットペーパーなどのロールペーパーより、ペーパーの取出しを容易にするロールペーパーの取り出し機構に関する。
【背景技術】
【０００２】
従来、ロールペーパーの代表的なものとしては、トイレットペーパーやキッチンペーパーが知られている。そして、このようなロールペーパーを保持するものとして、トイレットペーパーのホルダーが良く知られている。トイレットペーパーのホルダーには、ロールペーパーの上方を覆うカットプレートが設けられており、このカットプレートを一方の手でトイレットペーパーを引き出し、他方の手でカットプレートを抑えながら引き出した部分を切り取る。
しかしながら、従来のトイレットペーパーのホルダーは手が不自由な方にとっては使い勝手の悪いものであった。特に、トイレットペーパーの引き出し始めが見つけ難い場合がある。この場合、トイレットペーパーの下部を押したり引いたりすることにより、トイレットペーパーを回して引き出し始めを探すこととなる。しかし、この動作は手や指を怪我している場合にはもちろん、脳梗塞の後遺症などによる手の麻痺を起こしている場合にも、このような操作は困難となる。
トイレットペーパーのロールを回しやすくするものとして、トイレットペーパーを覆うプレートに開口を設け、上方よりトイレットペーパーを回転可能にしたものが知られている（特許文献１）。
【特許文献１】特開２０００−２３８７３号公報
【発明の開示】
【発明が解決しようとする課題】
【０００３】
従来、ロールペーパーホルダーにおいては、手に怪我などをしている場合には、ロールペーパーを容易に回動することは難しかった。そして、上記特許文献１に開示される技術においても、開口部より人差し指でロールペーパーを回動させる必要があり、手に怪我などをしている場合などには、操作が困難である。
【課題を解決するための手段】
【０００４】
本発明は、上記の課題を解決するために、以下のような解決手段をとる。
すなわち、請求項１に記載のごとく、ロールペーパーの上部を覆う部材であり、開口を有し、回動可能に構成され、先端部下面が前記ロールペーパー面に当接するように構成される、カバープレートと、前記カバープレートの上面に配置される支軸に後端部が取り付けられて前記カバープレートに対して回動可能に前記カバープレートに支持される支持部材と、前記支持部材の前端部に配置される支軸に取り付けられて前記支持部材に回動可能に支持され、前記カバープレートの開口に一部が挿入された状態でロールペーパーに当接し、前記カバープレートの上方に一部が突出した状態で配置されるローラーと、を有する、ロールペーパー取り出し機構を構成する。
【０００５】
請求項２に記載のごとく、前記カバープレートの先端部下面に、前記ロールペーパーの表層面に接触して前記ロールペーパーに摩擦抵抗を与えて前記ロールペーパーの先端部を剥離させて浮かせる摩擦部材が取り付けられる、ものである。
【０００６】
請求項３に記載のごとく、前記カバープレートの摩擦部材は、前記ロールペーパーに向かって突出するとともに前記ロールペーパーの回転方向に沿って段付き形状となる複数の突起で構成される、ものである。
【発明の効果】
【０００７】
請求項１に記載のごとく、ロールペーパー取り出し機構を構成するので、手に不自由がある場合においても、ロールペーパーの先端部をロールペーパーより剥離させて浮かせることができ、容易にロールペーパーの取出しを行うことができる。また、ロールペーパーの取出し操作を簡便かつ直感的に行うことができる。
【０００８】
請求項２に記載のごとく、ロールペーパー取り出し機構を構成するので、手に不自由がある場合においても、ロールペーパーの先端部をロールペーパーより剥離させて浮かせることができ、ロールペーパーの取り出しがより容易となる。
【０００９】
請求項３に記載のごとく、ロールペーパー取り出し機構を構成するので、手に不自由がある場合においても、ロールペーパーの先端部をロールペーパーより剥離させて浮かせることができ、ロールペーパーの取り出しがより容易となる。
【発明を実施するための最良の形態】
【００１０】
本発明は、ロールペーパー上方における操作により、ロールペーパー特に、トイレットレットペーパーの回動操作および引き出し操作が容易なロールペーパーホルダーを構成する。
【実施例１】
【００１１】
まず、ロールペーパー取り出し機構の実施例として、トイレットペーパーホルダーを用いて説明する。図１はペーパーホルダーの設置例を示す図であり、図２はペーパーホルダーの斜視図である。
図１に示すトイレには、便器１、ペーパーホルダー２が配設されている。便器１の側方もしくは斜め前方にはペーパーホルダー２が配設され、このペーパーホルダー２にロールペーパーであるトイレットペーパー４が保持されている。
ペーパーホルダー２は、使用者が便器１に座った状態でトイレットペーパー４の取り出しを行うことができる位置に配設される。
【００１２】
図１および図２に示すペーパーホルダー２にはペーパー駆動装置２ｂが設けられている。これは、トイレットペーパーの取出しを行うものであり、このペーパー駆動装置２ｂにより手を痛めた人でも、トイレットペーパー４の取り出しを容易にすることができる。
ペーパーホルダー２は、フレーム２１と、支持アーム２２と、カバープレート２３とにより構成される。ここで、支持アーム２２はトイレットペーパー４の支持部材であり、カバープレート２３はトイレットペーパー４の上部を覆う板状部材である。
ペーパー駆動装置２ｂはカバープレート２３上に設けられている。支持アーム２２はフレーム２１に垂直方向から水平方向まで傾動可能に取り付けられており、トイレットペーパーを下方より挿入して、支持アーム２２によりトイレットペーパー４を保持可能にしている。カバープレート２３は後端部においてフレーム２１にトイレットペーパー４の軸方向と平行な回動軸により回動自在に取り付けられている。
【００１３】
ペーパー駆動装置２ｂはローラー２５と支持部材２４とにより構成されている。ローラー２５はトイレットペーパーに当接可能な当接具である。ローラー２５はカバープレート２３に設けた開口２３ｆに下部を挿入した状態で、支持部材２４に回動自在に支持されている。支持部材２４はカバープレート２３の後端部に回動自在に取り付けられている。
ローラー２５は支持部材２４に支持され、トイレットペーパー４に当接した状態で回動可能となっている。そして、支持部材２４がカバープレート２３に対して回動可能となっているので、トイレットペーパー４の使用過程で径が小さくなった場合においても、ローラー２５がトイレットペーパー４に十分当接可能となっている。
また、ローラー２５の回りは凹凸形状が構成されており、ローラー２５とトイレットペーパー４との間での滑りを抑制している。ローラー２５の凹凸形状は、ローラー２５に装着したラバーベルトにより構成されており、トイレットペーパー４を傷つけることなく確実に駆動することができる。
【００１４】
次に、ペーパーホルダーのより詳しい構造について説明する。
図３はペーパーホルダーの側面図であり、図４はカバープレートの回動状態とトイレットペーパーの駆動状態を示す図、図５はローラーのトイレットペーパーへの追従構成を示す図である。
ペーパーホルダー２において、フレーム２１は後面を固定するものであり、ペーパーホルダー２を支持可能な支持部材や、壁などに固定することができる。フレーム２１の前端部にアーム２２が配設されており、このアーム２２がトイレットペーパー４の芯内側に挿入されて、トイレットペーパー４を保持する。
フレーム２１の上端部には支軸２３ｂが取り付けられており、この支軸２３ｂはトイレットペーパー４の芯方向に沿って配設されている。この支軸２３ｂを介してカバープレート２３がフレーム２１に取り付けられる構成となっている。これにより、カバープレート２３がフレーム２１に対して回動自在に支持される。
カバープレート２３上面には、支軸２３ｂと平行に支軸２４ｂが配設され、この支軸２４ｂを介して、ローラー２５を支持する支持部材２４がカバープレート２３に取り付けられる。これにより、支持部材２４がカバープレート２３に対して回動自在に支持される。
【００１５】
カバープレート２３は側面視において、上に凸の略円弧状に構成されている。そして、カバープレート２３の先端部がトイレットペーパー４の周面上部に当接するようになっている。
カバープレート２３上に配設される支持部材２４も、側面視において、カバープレート２３に沿った円弧状に構成されている。支持部材２４の全長は、カバープレート２３よりも短く構成されており、支持部材２４の後端部がカバープレート２３の後部の中途部上に接続される。
【００１６】
支持部材２４の先端部には支軸２５ｂが配設されており、この支軸２５ｂによりローラー２５が回動自在に枢支される。ローラー２５は自重により下方に移動可能であり、支持部材２４はローラー２５に応じて回動する。そして、ローラー２５が自重によりトイレットペーパー４に押し付けられる。
これにより、ローラー２５とトイレットペーパー４とが、簡便な構成で、確実に接触を確保できる。そして、カバープレート２３には支持部材２４の自重がかかるとともに、カバープレート２３の先端部において、カバープレート２３にかかる荷重の一部がトイレットペーパー４の周面にかかる。
【００１７】
カバープレート２３は支持部材２４とともに、上方に回動可能となっている。そして、支持部材２４はカバープレート２３よりも後方に回動可能となっている。
これにより、ペーパーホルダー２は、従来のペーパーホルダーと同様な使い勝手を維持することができる構成となっている。従来のトイレットペーパーホルダーと同様に、トイレットペーパー４の芯を上方に持ち上げることにより、芯を取り外し、新しいトイレットペーパーをペーパーホルダー２の下方より挿入することで、トイレットペーパーの取り替えを従来と同様に行うことができる。なお、支持アーム２２は、他の一般的なトイレットペーパーの支持構成を流用することができる。
【００１８】
図４に示すように、ペーパーホルダー２にトイレットペーパー４を取り付け、カバープレート２３を下ろし、ローラー２５をトイレットペーパー４に接した状態で、ローラー２５を前後方向（図４において紙面左右方向）に回すことにより、トイレットペーパー４がローラー２５に駆動され、前後方向に回動する。
ローラー２５の上部を後方向に回動すると、トイレットペーパー４の上部前方に回動される。そして、ローラー２５の上部を前方向に回動すると、トイレットペーパー４の上部前方に回動される。このように、ローラー２５を回すことにより、トイレットペーパー４を回動させて、トイレットペーパーの引き出し部を、簡単に探すことができる。また、ローラー２５とトイレットペーパー４間にはすべりが無いので、ローラー２５の回動に応じて、確実にトイレットペーパー４を引き出すことができる。
また、ローラー２５がカバープレート２３上において突出した状態で配設されるので、ローラー２５の操作が容易であり、ローラー２５が直接トイレットペーパー４に接している状態をカバープレート２３の開口部２３ｆより目視可能であるため、ローラー２５の直感的な操作を行うことができる。
【００１９】
次に、ローラー２５のトイレットペーパー４への追従機構について説明する。
ローラー２５はカバープレート２３上に構成され、図５に示すごとく、カバープレート２３の位置はカバープレート２３の先端部がトイレットペーパー４と接触することにより決定される。このため、トイレットペーパー４の径が小さくなる場合においても、カバープレート２３の先端部は下方に回動することにより、トイレットペーパー４との接触を維持する。
そして、支持部材２４はカバープレート２３に回動自在に取り付けられており、この支持部材２４の前部にローラー２５が取り付けられている。このため、ローラー２５もカバープレート２３とともに、トイレットペーパー４の径に応じて下方に移動することとなる。そして、トイレットペーパー４の径が小さくなっても接触を維持することができる。そして、トイレットペーパーの径の大小に関係なく、トイレットペーパー４を常に駆動することができる。
【００２０】
次に、カバープレート２３の先端部におけるペーパー引出し部の挙動について説明する。
図６はカバープレート先端部におけるペーパー引出し部の挙動を示す図である。
トイレットペーパー４を駆動装置２ｂにより前方に回動させることにより、トイレットペーパーの引き出し部を浮かせて、容易に見つけることができる。
図６（ａ）に示すように、トイレットペーパー４の引出し部となる先端４ｂがカバープレート２３の下に位置する状態から、ローラー２５によりトイレットペーパー４のロールの上部を前側に駆動する。すると、図６（ｂ）に示すように、先端部４ｂはカバープレート２３の先端部を下にもぐりこんだ後に、カバープレート２３より現れる。
カバープレート２３の先端部には、カバープレート２３および支持部材２４の荷重がかかっており、トイレットペーパー４の先端部４ｂはカバープレート２３の下方を通過する際に、移動方向と反対向きの抵抗力を受ける。
この抵抗力はトイレットペーパー４の層方向に沿って発生し、外側が強く、内側が弱くはたらく。さらに、トイレットペーパー４の先端部４ｂはカバープレート２３の先端部を通過する過程で、荷重により内側に変形した後に開放される。これらの影響により、図６（ｃ）に示すように、カバープレート２３を介したトイレットペーパー４の先端部４ｂはトイレットペーパー４より剥離して若干浮くこととなる。
このように、ローラー２５の駆動により、トイレットペーパー４の先端部４ｂが引き出し方向にカバープレート２３の先端部を介して取り出されるので、カバープレート２３との摩擦などにより先端部４ｂを浮かせることができ、トイレットペーパー４の引き出し始めを容易に見つけることができる。
すなわち、このペーパーホルダー２を用いることにより、トイレットペーパー４の駆動が容易となるとともに、トイレットペーパー４の先端部４ｂを取り出しやすい状態にすることができる。
さらに、カバープレート２３にトイレットペーパー４との接触抵抗を増大させる部材を取付けることにより、先端部４ｂのロールからの剥離効果をより顕著に発生させて、トイレットペーパー４の引き出しをより容易に行うことができる。例えば、カバープレート２３の先端部下面に摩擦部材を取付けたり、カバープレート２３をトイレットペーパー４に付勢する弾性部材を取付けたりすることが可能である。
【実施例２】
【００２１】
次に、ロールペーパーの保持具における駆動装置の他の構成について説明する。
図７は実施例２のロールペーパー保持具を示す斜視図、図８は実施例２の駆動装置を示す側面図、図９はエッジによるロールペーパー表面への当接状態を示す図、図１０はエッジによるトイレットペーパー先端部の引き出し構成を示す模式図である。
実施例２において、ペーパーホルダー２のカバープレート２３には、駆動装置２６が配設されている。駆動装置２６はカバープレート２３の上面側に突出している上部２６ｂと、カバープレート２３の下面側に位置する下部２６ｃと、下部２６ｃの後端に接続するバネ２６ｄとにより構成される。そして、駆動装置２６の上部２６ｂと下部２６ｃは、カバープレート２３に設けた開口溝２３ｃを介して接続し、一体的に構成される。
【００２２】
カバープレート２３の先端部下面には、エッジ２３ｄが設けられている。エッジ２３ｄはカバープレート２３に取付けられ、トイレットペーパー４の表層に駆動方向と逆の抵抗力をあたえるものであり、この抵抗力によりトイレットペーパー４の先端部と引き出しやすくする。エッジ２３ｄは側面視において、下方に突出した三角形状の突起が複数個連なった形状となっている。図８および図９においてエッジ２３ｄは、連なった三角形の頂点部分を下方に向けて配設した形状になっており、トイレットペーパー４の前方への回動時には抵抗が少なく、後方への回動時には抵抗が大きくなるように構成されている。
エッジ２３ｄはカバープレート２３の下面側にトイレットペーパー４に向けて突出した突起部材により構成することができるものである。エッジ２３ｄとなる突起部材はカバープレート２３の前端部において連続的に、もしくは断続的に構成することも可能である。
なお、図８および図９に示す構成において、エッジ２３ｄは、側面視三角形状の突起がカバープレート２３の前後方向に三つ連なって配設されている。
このエッジ２３ｄによりトイレットペーパー４の前方方向への回動がしやすく、後方への回動がしにくくなっている。さらに、エッジ２３ｄがトイレットペーパー４の表層面に接触して、摩擦抵抗を与えやすくなっている。これにより、エッジ２３ｄを通過したトイレットペーパー４の引き出し部は、トイレットペーパー４の表層面より浮き、取り出しやすくなる。
【００２３】
そして、カバープレート２３の内側に先端から後方に一定幅でエッジ２３ｄを構成するので、トイレットペーパー４の径が変化する場合においても、エッジ２３ｄを確実にトイレットペーパー４の表面に当接させることができる。
図９に示すように、トイレットペーパー４の径が大きい場合において、エッジ２３ｄはトイレットペーパー４の表面に当接可能であり、トイレットペーパー４の径が小さくなる場合においても、当接可能である。
さらに、トイレットペーパー４の径が小さくなると、トイレットペーパー４の重量が小さくなり、カバープレート２３の重みにより、トイレットペーパー４が内側に移動する。
しかし、カバープレート２３の内側にエッジ２３ｄを設けているので、この場合においても、エッジ２３ｄによりトイレットペーパー４の表面を捉えることができる。
【００２４】
図１０に示すように、エッジ２３ｄは、トイレットペーパーの先端部を取り出す場合においても、効果を発揮する。エッジ２３ｄは複数の突起部をもっているので、トイレットペーパー４の表面に部分的に抵抗力を与えることができる。そして、これによりトイレットペーパー４の先端部４ｂを引き出しやすくできる。
複数の突起を設けることにより、トイレットペーパー４との接触面積を大きくとり、一箇所にかかる荷重を小さくしながら、回転方向に対する抵抗力を向上できる。そして、エッジ２３ｄの段付きの形状により、先端部４ｂがさらにトイレットペーパー４の表層よりはがれやすくなる。
図１０（ａ）に示すように、エッジ２３ｄの下に先端部４ｂが導入されると、図１０（ｂ）に示すように、エッジ２３ｄの段付き形状により、先端部４ｂにしわなどが発生し、トイレットペーパー４の表層からはがれやすい状態となる。そして、図１０（ｃ）に示すように、エッジ２３ｄを過ぎると、エッジ２３ｄの接触による抵抗力で駆動方向と反対側に引き寄せられ、先端部４ｂがトイレットペーパー４の表層から剥離する。これにより、先端部４ｂを取り出しやすくなる。
また、エッジ２３ｄの接触により、駆動方向とは逆に抵抗力を発生させるので、トイレットペーパー４のブレーキとしても作用し、トイレットペーパー４が過剰に回るのを抑制することができる。
【００２５】
図１１は摩擦部材の他の構成を示す図である。
図１１において、（ａ）および（ｂ）は側面断面形状が１つの三角形状に構成された摩擦部材２３１を示す。摩擦部材２３１はカバープレート２３の前部下側面に取り付けられており、摩擦部材２３１のトイレットペーパー４との当接部において、手前側面の角度が立っており、奥側面の角度が寝た形状となっている。これにより、トイレットペーパー４の後側への回動に比べ、前側への回動を容易に構成している。
図１１において、（ｃ）は丸みを帯びた一側面を有する棒状部材により構成される摩擦部材２３２を示す。摩擦部材２３２はカバープレート２３の下面よりトイレットペーパー４に向けて突出した形状となっており、トイレットペーパー４に向いた側面が丸みを帯びている。カバープレート２３は奥側（後端側）において回動可能に支持されており、摩擦部材２３２を前部に設けているので、摩擦部材２３２が当接するトイレットペーパー４を前側への回動より、後側への回動がし難くなる構成となっている。
図１１において、（ｄ）は前斜め下方に延出した弾性部材を有する摩擦部材２３３を示す。摩擦部材２３３には前斜め下方に延出した弾性部材が設けられており、この弾性部材により、トイレットペーパー４を前側への回動より、後側への回動がし難くなる構成となっている。また、弾性部材が変形可能に構成されているので、トイレットペーパー４に過剰な力が加わるのを抑制できる。
図１１において、（ｅ）はトイレットペーパー４との接触部において、トイレットペーパー４に対して前斜め下方に針状体を延出した摩擦部材２３４を示す。摩擦部材２３４はブラシにより構成されており、この摩擦部材２３４により、トイレットペーパー４を前側への回動より、後側への回動がし難くなる構成となっている。
図１１において、（ｆ）はトイレットペーパー４に向けて延出した摩擦部材２３５を示す。摩擦部材２３５はゴムベラにより構成されており、この摩擦部材２３５により、トイレットペーパー４を前側への回動より、後側への回動がし難くなる構成としている。また、弾性部材が変形可能に構成されているので、トイレットペーパー４に過剰な力が加わるのを抑制できる。
【００２６】
次に、図１２を用いて、駆動装置２６の動作について説明する。図１２は駆動装置によるトイレットペーパーの駆動構成を示す図である。
駆動装置２６の下部２６ｃは、前部がカバープレート２３の下面形状に沿った形状となっており、後部が斜下方に延出している。これにより、駆動装置２６は前方に傾動して、前部を下方に向けることができる構成となっている。さらに、駆動装置２６は傾動した状態で、開口溝２３ｃに沿って摺動可能となっている。
これにより、図１２（ａ）に示すように、駆動装置２６が自然状態で、開口溝２３ｃの後端に位置している状態より、駆動装置２６を手前に引くと、図１２（ｂ）に示すように、駆動装置２６が傾き、下部の前端部をトイレットペーパー４に当接させた状態となる。
そして、図１２（ｃ）に示すように、駆動装置２６を前方に摺動させると、トイレットペーパー４を前側に回動させることができる。この動作は駆動装置２６の上部に構成したつまみを引くことにより、自然に行えるものとなっている。
【００２７】
そして、駆動装置２６を放すと、図１２（ｄ）に示すように、駆動装置２６はバネ２６ｄにより開口溝２３ｃの後位置に戻る。バネ２６ｄが駆動装置２６の後下方に延出した部分に接続しているので、バネ２６ｄの復元力により、駆動装置２６の前端が上方に位置した状態（下部の先端部がカバープレート２３の下面に当接した状態）で後方に移動する。
このため、駆動装置２６が後方に移動する場合には、先端がトイレットペーパー４に接触しておらず、トイレットペーパー４を後方に向けて回動させることがない。
【００２８】
このように駆動装置２６を手前に引くことにより、トイレットペーパー４を前方に向けて回動させることができる。さらに、駆動装置２６を引く動作によりトイレットペーパー４が回り、駆動装置２６を引く時の力の一部がカバープレート２３の先端に荷重をかけるので、カバープレート２３の先端部の下を通過したトイレットペーパー４の先端部はトイレットペーパー４の周面より浮いて、引き出しやすくなる。
【実施例３】
【００２９】
次に、ロールペーパーの保持具におけるローラー支持の他の構成について説明する。
図１３は実施例３のロールペーパー保持具を示す図であり、図１３（ａ）は側面図、図１３（ｂ）は正面図である。
図１３において、トイレットペーパーを駆動するローラー２５がアーム２４ｃにより回動自在に支持されている。アーム２４ｃは先端においてローラー２５を支持し、後端において支持部材２４ｄに回動自在に支持されている。支持部材２４ｄはカバープレート２３上の後部に設けられている。これにより、容易な構成で、ローラー２５の支持を行うことができる。
【００３０】
次に、ローラーを筒状に構成し、カバープレート２３により支持する構成について説明する。
図１４はローラーを筒状に構成したロールペーパーの保持具を示す図であり、図１４（ａ）は側面図、図１４（ｂ）は斜視図である。
ローラー２５は筒状に構成され、中央部が空洞となっている。ここに、カバープレート２３の開口部２３ｆに横架される支持部材２３ｈが設けられており、支持部材２３ｈにはカラー２５ｄが装着されている。そして、カラー２５ｄの外側にローラー２５が配設され、ローラー２５の内面カラー２５ｄが当接する。
これにより、カバープレート２３がローラー２５の支持部材を兼ねるので、ロールペーパーの保持具をコンパクトに構成できる。
【実施例４】
【００３１】
次に、ロールペーパー保持具を卓上に用いる構成について説明する。
図１５は自立式ロールペーパー保持具の構成を示す斜視図である。
実施例４において、ロールペーパー保持具２００のフレーム２０１はトイレットペーパー４よりも十分に下方に延長され、このフレーム２０１の下部には前方に向けて延出された脚２０２が接続されている。ロールペーパー保持具２００のフレーム２０１をこのように構成することにより、ローラー２５を用いてトイレットペーパー４の取り出しが容易となったロールペーパー保持具を卓上などに置くことができる。
【図面の簡単な説明】
【００３２】
【図１】ペーパーホルダーの設置例を示す図。
【図２】ペーパーホルダーの斜視図。
【図３】ペーパーホルダーの側面図。
【図４】カバープレートの回動状態とトイレットペーパーの駆動状態を示す図。
【図５】ローラーのトイレットペーパーへの追従構成を示す図。
【図６】カバープレート先端部におけるペーパー引出し部の挙動を示す図。
【図７】実施例２のロールペーパー保持具を示す斜視図。
【図８】実施例２の駆動装置を示す側面図。
【図９】エッジによるロールペーパー表面への当接状態を示す図。
【図１０】エッジによるトイレットペーパー先端部の引き出し構成を示す模式図。
【図１１】摩擦部材の他の構成を示す図。
【図１２】駆動装置によるトイレットペーパーの駆動構成を示す図。
【図１３】実施例３のロールペーパー保持具を示す図。
【図１４】ローラーを筒状に構成したロールペーパーの保持具を示す図。
【図１５】自立式ロールペーパー保持具の構成を示す斜視図。
【符号の説明】
【００３３】
２    ペーパーホルダー
２ｂ  駆動装置
４    トイレットペーパー
２１    フレーム
２２    支持アーム
２３    カバープレート
２３ｆ  開口部
２４    支持プレート
２５    ローラー
【図１】
0004741335.tif 000002
【図２】
0004741335.tif 000003
【図３】
0004741335.tif 000004
【図４】
0004741335.tif 000005
【図５】
0004741335.tif 000006
【図６】
0004741335.tif 000007
【図７】
0004741335.tif 000008
【図８】
0004741335.tif 000009
【図９】
0004741335.tif 000010
【図１０】
0004741335.tif 000011
【図１１】
0004741335.tif 000012
【図１２】
0004741335.tif 000013
【図１３】
0004741335.tif 000014
【図１４】
0004741335.tif 000015
【図１５】
0004741335.tif 000016